(57)【要約】【課題】下りリンク信号から他端末宛の信号を復調するための情報を効率よく端末に通知する。【解決手段】基地局１は、下りリンク信号における第１端末宛信号の電力配分の推定に用いられる第１端末参照情報と、下りリンク信号における他端末宛信号の電力配分の推定に用いられる他端末参照情報とを抽出用情報として含む下りリンク信号を生成し、下りリンク信号における第１端末参照情報と他端末参照情報とのそれぞれが割り当てられたリソースエレメントの位置を示す配置情報を含む制御信号を生成し、生成された下りリンク信号及び制御信号を第１端末２Ａ及び他端末に送信する。【選択図】図１
2016146554.tif 000002
【特許請求の範囲】
【請求項１】
第１端末を宛先とした第１端末宛信号及び他端末を宛先とした他端末宛信号が電力軸で多重化された下りリンク信号から個別の端末宛の信号を抽出するための抽出用情報を通知する通知方法であって、
基地局において、前記下りリンク信号における前記第１端末宛信号の電力配分の推定に用いられる第１端末参照情報と、前記下りリンク信号における前記他端末宛信号の電力配分の推定に用いられる他端末参照情報とを前記抽出用情報として含む前記下りリンク信号を生成するリンク信号生成ステップと、
前記基地局において、前記下りリンク信号における前記第１端末参照情報と前記他端末参照情報とのそれぞれが割り当てられたリソースエレメントの位置を示す配置情報を含む制御信号を生成する制御信号生成ステップと、
前記基地局において、生成された前記下りリンク信号及び前記制御信号を前記第１端末及び前記他端末に送信するステップと、
を備える通知方法。
【請求項２】
前記リンク信号生成ステップにおいて、前記基地局が、前記下りリンク信号において前記第１端末参照情報が割り当てられたリソースエレメントとは異なるリソースエレメントに前記他端末参照情報を割り当てる、
請求項１に記載の通知方法。
【請求項３】
前記リンク信号生成ステップにおいて、前記基地局が、同一のリソースエレメントに、符号多重化された前記第１端末参照情報及び前記他端末参照情報を割り当て、
前記制御信号生成ステップにおいて、前記基地局が、前記符号多重化の復調に用いる符号情報を含む前記制御信号を生成する、
請求項１に記載の通知方法。
【請求項４】
前記リンク信号生成ステップにおいて、前記基地局が、前記他端末参照情報として、前記他端末宛信号の電力配分に対応した値を示す情報を割り当てる、
請求項２又は３に記載の通知方法。
【請求項５】
前記リンク信号生成ステップにおいて、前記基地局が、前記下りリンク信号において前記第１端末参照情報が割り当てられたリソースエレメントとは異なるリソースエレメントに、前記他端末参照情報として、前記第１端末宛信号の電力配分と、前記他端末宛信号の電力配分との比率を示す信号を割り当てる、
請求項１に記載の通知方法。
【請求項６】
第１端末を宛先とした第１端末宛信号及び他端末を宛先とした他端末宛信号が電力軸で多重化された下りリンク信号から個別の端末宛の信号を抽出するための抽出用情報を通知する基地局であって、
前記下りリンク信号における前記第１端末宛信号の電力配分の推定に用いられる第１端末参照情報と、前記下りリンク信号における前記他端末宛信号の電力配分の推定に用いられる他端末参照情報とを前記抽出用情報として含む前記下りリンク信号を生成する下りリンク信号生成部と、
前記下りリンク信号における前記第１端末参照情報と前記他端末参照情報とのそれぞれが割り当てられたリソースエレメントの位置を示す配置情報を含む制御信号を生成する制御信号生成部と、
生成された前記下りリンク信号及び前記制御信号を、前記第１端末及び前記他端末に送信する送信部と、
を備える基地局。
【請求項７】
自身を宛先とした自端末宛信号及び他端末を宛先とした他端末宛信号が電力軸で多重化された下りリンク信号から自端末宛信号を抽出する端末であって、
前記下りリンク信号における前記自端末宛信号の電力配分の推定に用いられる自端末参照情報と、前記下りリンク信号における前記他端末宛信号の電力配分の推定に用いられる他端末参照情報とを含む前記下りリンク信号と、前記下りリンク信号における前記自端末参照情報と前記他端末参照情報とのそれぞれが割り当てられたリソースエレメントの位置を示す配置情報を含む制御信号とを基地局から受信する受信部と、
前記制御信号に含まれる前記配置情報に基づいて、前記他端末参照情報から前記他端末宛信号の電力配分を推定し、前記下りリンク信号から、推定した前記他端末宛信号の電力配分に基づいて、前記他端末宛信号を復調する第１復調部と、
前記下りリンク信号から、復調した前記他端末宛信号を除去する除去部と、
前記制御信号に含まれる前記配置情報に基づいて、前記自端末参照情報から前記自端末宛信号の電力配分を推定し、前記他端末宛信号が除去された前記下りリンク信号から、推定した前記自端末宛信号の電力配分に基づいて、前記自端末宛信号を復調する第２復調部と、
を備える端末。
【請求項８】
第１端末を宛先とした第１端末宛信号及び他端末を宛先とした他端末宛信号が電力軸で多重化された下りリンク信号を送受信する基地局及び前記第１端末を備える無線通信システムであって、
前記基地局は、
前記下りリンク信号における前記第１端末を宛先とした第１端末宛信号の電力配分の推定に用いられる第１端末参照情報と、前記下りリンク信号における他端末を宛先とした他端末宛信号の電力配分の推定に用いられる他端末参照情報とを含む前記下りリンク信号を生成する下りリンク信号生成部と、
前記下りリンク信号における前記第１端末参照情報と前記他端末参照情報とのそれぞれが割り当てられたリソースエレメントの位置を示す配置情報を含む制御信号を生成する制御信号生成部と、
生成された前記下りリンク信号及び前記制御信号を、前記第１端末及び前記他端末に送信する送信部とを有し、
前記第１端末は、
前記下りリンク信号及び前記制御信号を前記基地局から受信する受信部と、
前記制御信号に含まれる前記配置情報に基づいて、前記他端末参照情報から前記他端末宛信号の電力配分を推定し、前記下りリンク信号から、推定した前記他端末宛信号の電力配分に基づいて、前記他端末宛信号を復調する第１復調部と、
前記下りリンク信号から、復調した前記他端末宛信号を除去する除去部と、
前記制御信号に含まれる前記配置情報に基づいて、前記第１端末参照情報から前記第１端末宛信号の電力配分を推定し、前記他端末宛信号が除去された前記下りリンク信号から、推定した前記第１端末宛信号の電力配分に基づいて、前記第１端末宛信号を復調する第２復調部とを有する、
無線通信システム。
【発明の詳細な説明】
【技術分野】
【０００１】
本発明は、通知方法、基地局、端末及び無線通信システムに関する。
【背景技術】
【０００２】
無線通信ネットワークにおいて、周波数利用効率を向上させるために、同一周波数上に複数のユーザのそれぞれに搬送する信号を多重して送信する非直交多元接続方式（NOMA:Non Orthogonal Multiple Access）が検討されている（例えば、非特許文献１参照）。
【先行技術文献】
【特許文献】
【０００３】
【非特許文献１】3GPP TSG RAN#65, RP-141406, " New Study Item Proposal: Enhanced MU-MIMO and Network Assisted Interference Cancellation"
【発明の概要】
【発明が解決しようとする課題】
【０００４】
下りリンク信号に対して、電力軸で複数のユーザのそれぞれに搬送する信号を多重化する場合、端末は、他端末宛の信号を復調し、復調した他端末宛の信号に基づいて下りリンク信号から他端末宛の信号を除去し、その後、自端末宛の信号を復調する必要がある。しかしながら、従来の下りリンク信号には、他端末宛の信号を復調するための情報が含まれておらず、他端末宛の信号を除去することができないという問題があった。
【０００５】
これに対して、他端末宛の信号を復調するための情報を、制御チャネル（例えばPDCCH）を用いて送信する方法が考えられる。しかしながら、非直交多元接続方式では、１サブフレーム内にスケジューリングされるユーザが多くなることから、当該方法を用いることによって、制御チャネル用の無線リソースが枯渇するおそれがある。
【０００６】
そこで、本発明はこれらの点に鑑みてなされたものであり、下りリンク信号から他端末宛の信号を復調するための情報を効率よく端末に通知することができる通知方法、基地局及び無線通信システムを提供することを目的とする。また、本発明は、当該通知された情報に基づいて下りリンク信号から自身宛の信号を復調することができる端末を提供することを目的とする。
【課題を解決するための手段】
【０００７】
本発明の第１の態様に係る通知方法は、第１端末を宛先とした第１端末宛信号及び他端末を宛先とした他端末宛信号が電力軸で多重化された下りリンク信号から個別の端末宛の信号を抽出するための抽出用情報を通知する通知方法であって、基地局において、前記下りリンク信号における前記第１端末宛信号の電力配分の推定に用いられる第１端末参照情報と、前記下りリンク信号における前記他端末宛信号の電力配分の推定に用いられる他端末参照情報とを前記抽出用情報として含む前記下りリンク信号を生成するリンク信号生成ステップと、前記基地局において、前記下りリンク信号における前記第１端末参照情報と前記他端末参照情報とのそれぞれが割り当てられたリソースエレメントの位置を示す配置情報を含む制御信号を生成する制御信号生成ステップと、前記基地局において、生成された前記下りリンク信号及び前記制御信号を前記第１端末及び前記他端末に送信するステップと、を備える。
【０００８】
前記リンク信号生成ステップにおいて、前記基地局は、前記下りリンク信号において前記第１端末参照情報が割り当てられたリソースエレメントとは異なるリソースエレメントに前記他端末参照情報を割り当ててもよい。
【０００９】
前記リンク信号生成ステップにおいて、前記基地局は、同一のリソースエレメントに、符号多重化された前記第１端末参照情報及び前記他端末参照情報を割り当て、前記制御信号生成ステップにおいて、前記基地局は、前記符号多重化の復調に用いる符号情報を含む前記制御信号を生成してもよい。
前記リンク信号生成ステップにおいて、前記基地局は、前記他端末参照情報として、前記他端末宛信号の電力配分に対応した値を示す情報を割り当ててもよい。
【００１０】
前記リンク信号生成ステップにおいて、前記基地局は、前記下りリンク信号において前記第１端末参照情報が割り当てられたリソースエレメントとは異なるリソースエレメントに、前記他端末参照情報として、前記第１端末宛信号の電力配分と、前記他端末宛信号の電力配分との比率を示す信号を割り当ててもよい。
【００１１】
本発明の第２の態様に係る基地局は、第１端末を宛先とした第１端末宛信号及び他端末を宛先とした他端末宛信号が電力軸で多重化された下りリンク信号から個別の端末宛の信号を抽出するための抽出用情報を通知する基地局であって、前記下りリンク信号における前記第１端末宛信号の電力配分の推定に用いられる第１端末参照情報と、前記下りリンク信号における前記他端末宛信号の電力配分の推定に用いられる他端末参照情報とを前記抽出用情報として含む前記下りリンク信号を生成する下りリンク信号生成部と、前記下りリンク信号における前記第１端末参照情報と前記他端末参照情報とのそれぞれが割り当てられたリソースエレメントの位置を示す配置情報を含む制御信号を生成する制御信号生成部と、生成された前記下りリンク信号及び前記制御信号を、前記第１端末及び前記他端末に送信する送信部と、を備える。
【００１２】
本発明の第３の態様に係る端末は、自身を宛先とした自端末宛信号及び他端末を宛先とした他端末宛信号が電力軸で多重化された下りリンク信号から自端末宛信号を抽出する端末であって、前記下りリンク信号における前記自端末宛信号の電力配分の推定に用いられる自端末参照情報と、前記下りリンク信号における前記他端末宛信号の電力配分の推定に用いられる他端末参照情報とを含む前記下りリンク信号と、前記下りリンク信号における前記自端末参照情報と前記他端末参照情報とのそれぞれが割り当てられたリソースエレメントの位置を示す配置情報を含む制御信号とを基地局から受信する受信部と、前記制御信号に含まれる前記配置情報に基づいて、前記他端末参照情報から前記他端末宛信号の電力配分を推定し、前記下りリンク信号から、推定した前記他端末宛信号の電力配分に基づいて、前記他端末宛信号を復調する第１復調部と、前記下りリンク信号から、復調した前記他端末宛信号を除去する除去部と、前記制御信号に含まれる前記配置情報に基づいて、前記自端末参照情報から前記自端末宛信号の電力配分を推定し、前記他端末宛信号が除去された前記下りリンク信号から、推定した前記自端末宛信号の電力配分に基づいて、前記自端末宛信号を復調する第２復調部と、を備える。
【００１３】
本発明の第４の態様に係る無線通信システムは、第１端末を宛先とした第１端末宛信号及び他端末を宛先とした他端末宛信号が電力軸で多重化された下りリンク信号を送受信する基地局及び前記第１端末を備える無線通信システムであって、前記基地局は、前記下りリンク信号における前記第１端末を宛先とした第１端末宛信号の電力配分の推定に用いられる第１端末参照情報と、前記下りリンク信号における他端末を宛先とした他端末宛信号の電力配分の推定に用いられる他端末参照情報とを含む前記下りリンク信号を生成する下りリンク信号生成部と、前記下りリンク信号における前記第１端末参照情報と前記他端末参照情報とのそれぞれが割り当てられたリソースエレメントの位置を示す配置情報を含む制御信号を生成する制御信号生成部と、生成された前記下りリンク信号及び前記制御信号を、前記第１端末及び前記他端末に送信する送信部とを有し、前記第１端末は、前記下りリンク信号及び前記制御信号を前記基地局から受信する受信部と、前記制御信号に含まれる前記配置情報に基づいて、前記他端末参照情報から前記他端末宛信号の電力配分を推定し、前記下りリンク信号から、推定した前記他端末宛信号の電力配分に基づいて、前記他端末宛信号を復調する第１復調部と、前記下りリンク信号から、復調した前記他端末宛信号を除去する除去部と、前記制御信号に含まれる前記配置情報に基づいて、前記第１端末参照情報から前記第１端末宛信号の電力配分を推定し、前記他端末宛信号が除去された前記下りリンク信号から、推定した前記第１端末宛信号の電力配分に基づいて、前記第１端末宛信号を復調する第２復調部とを有する。
【発明の効果】
【００１４】
本発明によれば、下りリンク信号から他端末宛の信号を復調するための情報を効率よく端末に通知することができるという効果を奏する。また、本発明によれば、端末が、当該通知された情報に基づいて下りリンク信号から自身宛の信号を復調することができるという効果を奏する。
【図面の簡単な説明】
【００１５】
【図１】第１の実施形態に係る無線通信システムの概要を示す図である。
【図２】無線通信システムにおけるフレームの構成を示す図である。
【図３】第１の実施形態に係る基地局の構成図である。
【図４】第１の実施形態に係る下りリンク信号に対応するリソースブロックを示す図である。
【図５】第１の実施形態に係る第１端末の構成図である。
【図６】第１の実施形態に係る下りリンク信号の送受信に係る処理の流れを示すシーケンス図である。
【図７】第２の実施形態に係る下りリンク信号に対応するリソースブロックを示す図である。
【図８】第３の実施形態に係る下りリンク信号に対応するリソースブロックを示す図である。
【図９】第３の実施形態に係る第２端末参照情報が示す信号を説明する図である。
【発明を実施するための形態】
【００１６】
＜第１の実施形態＞
図１は、第１の実施形態に係る無線通信システムＳの概要を示す図である。無線通信システムＳは、例えば、ＬＴＥ（Long Term Evolution）に対応するシステムであり、下りリンクに対して、直交周波数分割多元接続方式（OFDMA:Orthogonal frequency-division multiple access）と、非直交多元接続方式（NOMA）とを適用したシステムである。
【００１７】
ここで、無線通信システムＳにおいて信号伝送を行うフレームの構成について説明する。図２は、無線通信システムＳにおけるフレームの構成を示す図である。無線通信システムＳにおいて、フレームの時間長は１０ｍｓである。フレームは、時間長が１ｍｓのサブフレームによって構成されており、フレームには１０個のサブフレームが含まれている。サブフレームには、時間長が０．５ｍｓのスロットが２個含まれている。スロットは、１８０ｋＨｚごとに区切られた複数のリソースブロックから構成されている。リソースブロックは、周波数軸及び時間軸によって区切られた複数のリソースエレメントから構成されている。
【００１８】
本実施形態では、下りリンクにおいて、リソースブロックによって搬送される信号を下りリンク信号という。下りリンク信号は、例えば、PDCCH（Physical Downlink Control Channel）信号及びPDSCH（Physical Downlink Shared Channel）信号である。下りリンク信号には、複数の端末のそれぞれを宛先とした信号が電力軸で多重化されたデータ信号や、端末宛の信号を抽出するために参照される参照情報等が含まれている。
【００１９】
無線通信システムＳは、図１に示すように、基地局１と、複数の端末とを備える。複数の端末の一例として、図１には第１端末２Ａ及び第２端末２Ｂを示している。本実施形態において、基地局１は、例えばＬＴＥ無線基地局（eNB）である。第１端末２Ａ及び第２端末２Ｂは、例えばスマートフォン等の携帯電話機であり、基地局１との無線通信が可能なエリアに存在している。
【００２０】
基地局１は、複数の端末の受信環境に応じて、下りリンク信号に含ませる、それぞれの端末を宛先とした信号の電力配分を変化させる。基地局１は、ＳＮ比が大きい端末を宛先とした信号の電力配分を小さく割り当て、ＳＮ比が小さい端末を宛先とした信号の電力配分を大きく割り当てる。図１に示す例では、基地局１は、第１端末２Ａを宛先とした第１端末宛信号の電力配分を、第２端末２Ｂを宛先とした第２端末宛信号の電力配分に比べて小さく割り当てる。
【００２１】
基地局１は、第１端末宛信号及び第２端末宛信号が電力軸で多重化されたデータ信号と、下りリンク信号における第１端末宛信号の電力配分の推定に用いられる第１端末参照情報と、下りリンク信号における第２端末宛信号（他端末宛信号）の電力配分の推定に用いられる第２端末参照情報（他端末参照情報）とを含む下りリンク信号を生成する。また、基地局１は、下りリンク信号において、第１端末参照情報と第２端末参照情報とのそれぞれが割り当てられたリソースエレメントの位置（周波数帯域及び時間スロット）を示す配置情報を含む制御信号を生成する。
続いて、基地局１は、生成された下りリンク信号及び制御信号を第１端末２Ａ及び第２端末２Ｂに送信する。
【００２２】
第１端末２Ａが基地局１から受信する信号のＳＮ比は大きいことから、第１端末２Ａは、第１端末宛信号と第２端末宛信号とが多重化によって干渉した状態の下りリンク信号を受信する。第１端末２Ａは、制御信号に含まれる配置情報に基づいて下りリンク信号における第２端末参照情報を特定する。第１端末２Ａは、特定した第２端末参照情報に基づいて第２端末宛信号の電力配分を推定し、推定した電力配分に基づいて、下りリンク信号から第２端末宛信号を復調する。第１端末２Ａは、復調された第２端末宛信号に基づいて、下りリンク信号から第２端末宛信号を除去する。
【００２３】
続いて、第１端末２Ａは、制御信号に含まれる配置情報に基づいて下りリンク信号における第１端末参照情報を特定する。第１端末２Ａは、特定した第１端末参照情報に基づいて第１端末宛信号の電力配分を推定し、推定した電力配分に基づいて、第２端末宛信号が除去された下りリンク信号から第１端末宛信号を復調する。
【００２４】
一方、第２端末２Ｂが受信する信号のＳＮ比は小さいことから、第２端末２Ｂが受信する下りリンク信号では、電力配分が小さい第１端末宛信号が十分に弱くなり、ノイズとして含まれる。したがって、第２端末２Ｂは、下りリンク信号から第２端末宛信号を直接復調することができる。
【００２５】
以上のように、無線通信システムＳは、第２端末宛信号を復調するための第２端末参照情報を含む下りリンク信号を生成するとともに、下りリンク信号における第２端末参照情報が割り当てられたリソースエレメントの位置を示す配置情報を含む制御信号を生成し、当該下りリンク信号及び制御信号を第１端末２Ａに送信する。このようにすることで、下りリンクの制御信号には、第２端末参照情報に比べてサイズの小さい配置情報が新たに追加されるにすぎないので、無線通信システムＳでは、下りリンク信号から他端末宛の信号を復調するための情報を効率よく端末に通知することができる。
続いて、基地局１及び第１端末２Ａの構成について説明する。
【００２６】
［基地局１の構成例］
まず、基地局１の機能構成について説明する。図３は、第１の実施形態に係る基地局１の構成図である。
基地局１は、下りリンク信号生成部１１と、制御信号生成部１２と、送信部１３と、アンテナ１４とを備える。
下りリンク信号生成部１１、制御信号生成部１２及び送信部１３は、信号を変復調するＲＦ（Radio Frequency）回路によって構成されている。
【００２７】
下りリンク信号生成部１１は、基地局１の上位局（不図示）から第１端末２Ａを宛先とする情報及び第２端末２Ｂを宛先とする情報を受信すると、第１端末２Ａを宛先とした第１端末宛信号及び第２端末２Ｂを宛先とした第２端末宛信号が電力軸で多重化された下りリンク信号を生成する。
【００２８】
具体的には、下りリンク信号生成部１１は、第１端末宛信号及び第２端末宛信号が電力軸で多重化されたデータ信号と、当該データ信号から個別の端末宛の信号を抽出するための抽出用情報とを含む下りリンク信号を生成する。ここで、抽出用情報は、下りリンク信号における第１端末宛信号の電力配分の推定に用いられる第１端末参照情報、及び当該下りリンク信号における第２端末宛信号の電力配分の推定に用いられる第２端末参照情報である。
【００２９】
第１の実施形態において、下りリンク信号生成部１１は、下りリンク信号において、第１端末参照情報が割り当てられたリソースエレメントとは異なるリソースエレメントに第２端末参照情報を割り当てる。ここで、第１端末参照情報は、第１端末宛信号に割り当てられた電力の絶対値に対応するアナログ値を示す情報である。また、第２端末参照情報は、第２端末宛信号の電力配分に対応するアナログ値を示す情報である。第２端末参照情報は、例えば、第２端末宛信号に割り当てられた電力の絶対値に対応するアナログ値を示す情報である。このように、第２端末参照情報を、アナログ値を示す情報とすることにより、複数の端末のそれぞれにおけるＳＮ比等に応じて、柔軟に電力配分を決定したり、柔軟に端末のペアリングをしたりすることができる。また、受信側の第１端末２Ａにおいては、高精度なレプリカ再生が可能となる。
【００３０】
図４は、第１の実施形態に係る下りリンク信号に対応するリソースブロックを示す図である。
図４には、下りリンク信号に対応するリソースブロックを周波数方向及び時間方向によって区切った複数のリソースエレメントが示されている。図４において、黒く塗りつぶされたリソースエレメントＲＥ１には、第１端末参照情報が割り当てられている。図４に示す例では、連続する２つのリソースエレメントに対して１つの第１端末参照情報が割り当てられており、合計で６つの第１端末参照情報が割り当てられている。
【００３１】
また、複数の横線が描画されたリソースエレメントＲＥ２には、第２端末参照情報が割り当てられている。図４に示す例では、連続する２つのリソースエレメントに対して１つの第２端末参照情報が割り当てられており、合計で２つの第２端末参照情報が割り当てられている。なお、図４に示す例では、合計で２つの第２端末参照情報が割り当てられているが、これに限らず、３つ以上の第２端末参照情報が割り当てられるようにしてもよい。
【００３２】
また、複数の斜線が描画されたリソースエレメントＲＥ３には、その他の参照情報（例えば、セル固有参照情報（ＣＲＳ）、チャネル品質参照情報（ＣＳＩ−ＲＳ）、位置参照情報（ＰＲＳ））が割り当てられている。また、白地のリソースエレメントＲＥ４は、第１端末宛信号と第２端末宛信号とが電力軸で多重化されたデータ信号が割り当てられている。
【００３３】
制御信号生成部１２は、基地局１の上位局から第１端末２Ａを宛先とした情報及び第２端末２Ｂを宛先とした情報を受信すると、下りリンクを制御するための制御信号を生成する。具体的には、制御信号生成部１２は、下りリンク信号に対応するリソースブロックにおける第１端末参照情報と第２端末参照情報とのそれぞれが割り当てられたリソースエレメントの位置を示す配置情報を含む制御信号を生成する。
【００３４】
送信部１３は、生成された下りリンク信号及び制御信号を、第１端末２Ａ及び第２端末２Ｂに送信する。具体的には、送信部１３は、生成された下りリンク信号及び制御信号をアンテナ１４から輻射することにより、当該下りリンク信号及び制御信号を、基地局１と通信可能なエリアに存在している第１端末２Ａ及び第２端末２Ｂに送信する。
【００３５】
［第１端末２Ａの構成例］
続いて、第１端末２Ａの機能構成について説明する。図５は、第１の実施形態に係る第１端末２Ａの構成図である。第１端末２Ａは、アンテナ２０と、受信部２１と、第１復調部２２と、除去部２３と、第２復調部２４と、制御部２５とを備える。
【００３６】
受信部２１、第１復調部２２、除去部２３及び第２復調部２４は、信号を変復調するＲＦ回路によって構成されている。
受信部２１は、アンテナ２０を介して、基地局１から下りリンク信号及び制御信号を受信する。
【００３７】
第１復調部２２は、制御信号に含まれる配置情報に基づいて、第２端末参照情報が割り当てられているリソースエレメントを特定する。そして、第１復調部２２は、当該リソースエレメントに割り当てられている第２端末参照情報から、第２端末宛信号の電力配分を推定する。そして、第１復調部２２は、下りリンク信号から、推定した第２端末宛信号の電力配分に基づいて、第２端末宛信号を復調する。具体的には、第１復調部２２は、下りリンク信号に含まれる、第１端末宛信号及び第２端末宛信号が電力軸で多重化されたデータ信号の値に対して、第２端末参照情報から推定したチャネル推定値を用いてチャネル補償を行うことにより、第２端末宛信号を復調する。このようにすることで、第２端末宛信号を高精度に復調することができる。
【００３８】
除去部２３は、下りリンク信号から、復調した第２端末宛信号を除去する。具体的には、除去部２３は、復調した第２端末宛信号に基づいて、下りリンク信号に含まれている第１端末宛信号及び第２端末宛信号が電力軸で多重化されたデータ信号から、第２端末宛信号に対応する信号成分を除去する。
【００３９】
第２復調部２４は、制御信号に含まれる配置情報に基づいて、第１端末参照情報が割り当てられているリソースエレメントを特定する。そして、第２復調部２４は、当該リソースエレメントに割り当てられている第１端末参照情報から第１端末宛信号の電力配分を推定する。そして、第２復調部２４は、第２端末宛信号が除去された下りリンク信号から、推定した第１端末宛信号の電力配分に基づいて、第１端末宛信号を復調する。具体的には、第２復調部２４は、下りリンク信号において第２端末宛信号が除去されたデータ信号の値に対して、第１端末参照情報から推定したチャネル推定値を用いてチャネル補償を行うことにより、第１端末宛信号を復調する。第２復調部２４は、復調した第１端末宛信号を制御部２５に出力する。
【００４０】
制御部２５は、例えば、ＣＰＵにより構成される。制御部２５は、記憶部（不図示）に記憶されている各種プログラムを実行することにより、第１端末２Ａに係る機能を制御する。制御部２５は、第２復調部２４から第１端末宛信号が入力されると、当該第１端末宛信号に応じた処理を行う。
【００４１】
［下りリンク信号の送受信に係るシーケンス］
続いて、無線通信システムＳにおける、下りリンク信号の送受信に係る処理の流れについて説明する。図６は、第１の実施形態に係る下りリンク信号の送受信に係る処理の流れを示すシーケンス図である。
【００４２】
まず、下りリンク信号生成部１１は、第１端末宛信号と第２端末宛信号とが電力軸で多重化されたデータ信号と、第１端末参照情報と、第２端末参照情報とを含む下りリンク信号を生成する（Ｓ１０）。
続いて、制御信号生成部１２は、下りリンク信号に対応するリソースブロックにおいて第１端末参照情報と第２端末参照情報とのそれぞれが割り当てられたリソースエレメントの位置を示す配置情報を含む制御信号を生成する（Ｓ２０）。
なお、下りリンク信号生成部１１による処理と、制御信号生成部１２による処理とは、並列に行われるようにしてもよい。
【００４３】
続いて、送信部１３は、生成された下りリンク信号及び制御信号をアンテナ１４から輻射することにより、当該下りリンク信号及び制御信号を、基地局１と通信可能なエリアに存在している第１端末２Ａ及び第２端末２Ｂに送信する。
【００４４】
続いて、受信部２１が、アンテナ２０を介して基地局１から下りリンク信号及び制御信号を受信すると、第１復調部２２は、第２端末参照情報に基づいて推定した第２端末宛信号の電力配分に基づいて、下りリンク信号から第２端末宛信号を復調する（Ｓ３０）。
続いて、除去部２３は、復調された第２端末宛信号に基づいて、下りリンク信号から第２端末宛信号を除去する（Ｓ４０）。
【００４５】
続いて、第２復調部２４は、第１端末参照情報に基づいて推定した第１端末宛信号の電力配分に基づいて、第２端末宛信号が除去された下りリンク信号から第１端末宛信号を復調する（Ｓ５０）。
【００４６】
第２端末２Ｂは、第１端末２Ａと同様に、基地局１から下りリンク信号及び制御信号を受信する。ここで、第２端末２Ｂが受信する信号のＳＮ比は小さいことから、第２端末２Ｂが受信する下りリンク信号では、電力配分が小さい第１端末宛信号が十分に弱くなり、ノイズとして含まれる。第２端末２Ｂは、第２端末参照情報に基づいて下りリンク信号から第２端末宛信号を復調する（Ｓ６０）。
【００４７】
［第１実施形態における効果］
以上のとおり、第１の実施形態に係る無線通信システムＳは、第２端末宛信号を復調するための第２端末参照情報を含む下りリンク信号を生成するとともに、下りリンク信号における第２端末参照情報が割り当てられたリソースエレメントの位置を示す配置情報を含む制御信号を生成し、当該下りリンク信号及び制御信号を第１端末２Ａに送信する。
【００４８】
これにより、第１端末２Ａは、当該配置情報に基づいて下りリンク信号から第２端末宛信号の電力配分を推定し、当該電力配分に基づいて第２端末宛信号を復調することができる。そして、第１端末２Ａは、復調した第２端末宛信号に基づいて、下りリンク信号から第２端末宛信号を除去し、第２端末宛信号が除去された下りリンク信号から、第１端末宛信号を復調することができる。
【００４９】
また、無線通信システムＳでは、下りリンク信号の制御信号に第２端末参照情報に比べてサイズの小さい配置情報を追加するだけなので、下りリンク信号から第２端末宛信号を復調するための情報を効率よく端末に通知することができる。これにより、無線通信システムＳは、制御信号に割り当てられたリソースが枯渇することを抑制することができる。
【００５０】
＜第２の実施形態＞
［第１端末参照情報と第２端末参照情報とを符号多重化して割り当てる］
続いて、第２の実施形態について説明する。第２の実施形態の無線通信システムＳは、同一のリソースエレメントに対して第１端末参照情報と第２端末参照情報とを符号多重化して割り当てた点で第１の実施形態と異なる。以下に、第２の実施形態に係る無線通信システムＳについて図面を参照して説明する。なお、以下の説明において、第１の実施形態と同様の構成については同一の符号を付し、詳細な説明を省略する。
【００５１】
第２の実施形態において、基地局１の下りリンク信号生成部１１は、第１端末参照情報及び第２端末参照情報を符号多重化する。そして、下りリンク信号生成部１１は、同一のリソースエレメントに、符号多重化された第１端末参照情報及び第２端末参照情報を割り当てる。
【００５２】
図７は、第２の実施形態に係る下りリンク信号に対応するリソースブロックを示す図である。図７に示すように、リソースエレメントＲＥ５に対して、符号化された第１端末参照情報及び第２端末参照情報が割り当てられていることが確認できる。
【００５３】
図７に示す例では、連続する２つのリソースエレメントＲＥ５に対して、符号多重化された情報が割り当てられており、合計で２つの符号多重化された情報が割り当てられている。なお、図７に示す例では、合計で２つの符号多重化された情報が割り当てられているが、これに限らず、他のリソースエレメントに対して符号化された第１端末参照情報及び第２端末参照情報が割り当てられるようにしてもよい。
【００５４】
制御信号生成部１２は、当該符号多重化された第１端末参照情報及び第２端末参照情報の位置を示す配置情報と、当該符号多重化の復調に用いる符号情報とを含む制御信号を生成する。
【００５５】
第２の実施形態において、第１端末２Ａの第１復調部２２は、制御信号に含まれる配置情報に基づいて、符号多重化された第１端末参照情報及び第２端末参照情報が割り当てられたリソースエレメントの位置を特定する。そして、第１端末２Ａの第１復調部２２は、当該リソースエレメントから符号多重化された第１端末参照情報及び第２端末参照情報を抽出し、制御信号に含まれる符号情報に基づいて第１端末参照情報及び第２端末参照情報を復調する。そして、第１復調部２２は、復調した第２端末参照情報に基づいて第２端末宛信号を復調する。
【００５６】
除去部２３は、復調された第２端末宛信号に基づいて、下りリンク信号から第２端末宛信号を除去する。
第２復調部２４は、第１復調部２２により復調された第１端末参照情報に基づいて、第２端末宛信号が除去された下りリンク信号から、第１端末宛信号を復調する。
【００５７】
［第２実施形態における効果］
以上のとおり、第２の実施形態に係る無線通信システムＳでは、基地局１が、第１端末参照情報が割り当てられるリソースエレメントに対して、第２端末参照情報を符号多重化するので、第２端末参照情報を割り当てるリソースエレメントを新たに確保する必要がない。したがって、無線通信システムＳは、下りリンク信号から第２端末宛信号を復調するための情報を、より効率的に第１端末２Ａに通知することができる。
【００５８】
＜第３の実施形態＞
［第２端末参照情報として複数の端末の電力配分の比率を示す信号を割り当てる］
続いて、第３の実施形態について説明する。第３の実施形態の無線通信システムＳは、リソースエレメントに対して、第２端末参照情報として、複数の端末の電力配分の比率を示す信号を割り当てた点で第１の実施形態と異なる。以下に、第３の実施形態に係る無線通信システムＳについて説明する。
【００５９】
第３の実施形態において、基地局１の下りリンク信号生成部１１は、下りリンク信号において第１端末参照情報が割り当てられたリソースエレメントとは異なるリソースエレメントに、第２端末参照情報として、第１端末宛信号の電力配分と、第２端末宛信号の電力配分との比率を示す信号を割り当てる。
【００６０】
図８は、第３の実施形態に係る下りリンク信号に対応するリソースブロックを示す図である。図８に示すように、リソースエレメントＲＥ６には、第２端末参照情報として、第１端末宛信号の電力配分と、第２端末宛信号の電力配分との比率を示す信号が割り当てられている。
【００６１】
図９は、第３の実施形態に係る第２端末参照情報が示す信号を説明する図である。図９には、信号点ＳＰが示されており、信号点ＳＰの座標値（Ｉ１，Ｑ１）が、第１端末宛信号の電力配分と、第２端末宛信号の電力配分との比率を示している。例えば、Ｉ１とＱ１との比率が、２：８であれば、第１端末宛信号の電力配分が２０％であることを示し、第２端末宛信号の電力配分が８０％であることを示している。
【００６２】
第３の実施形態において、第１端末２Ａの第１復調部２２は、制御信号に含まれる配置情報に基づいて、第１端末参照情報が割り当てられたリソースエレメントの位置と、第２端末参照情報が割り当てられたリソースエレメントの位置とを特定する。そして、第１復調部２２は、第２端末参照情報に基づいて第１端末宛信号の電力配分と、第２端末宛信号の電力配分との比率を特定する。そして、第１復調部２２は、特定した比率と、第１端末参照情報から推定される第１端末宛信号の電力配分とに基づいて、第２端末宛信号に割り当てられた電力の絶対値を推定する。そして、第１復調部２２は、推定した電力の絶対値に基づいて第２端末宛信号を復調する。
【００６３】
除去部２３は、復調された第２端末宛信号に基づいて、下りリンク信号から第２端末宛信号を除去する。
第２復調部２４は、第１端末参照情報に基づいて、第２端末宛信号が除去された下りリンク信号から、第１端末宛信号を復調する。
【００６４】
［第３実施形態における効果］
以上のとおり、第３の実施形態に係る無線通信システムＳは、第２端末宛信号を復調するための第２端末参照情報として、第１端末宛信号の電力配分と第２端末宛信号の電力配分との比率を示す信号を含む下りリンク信号を生成するとともに、下りリンク信号における第２端末参照情報が割り当てられたリソースエレメントの位置を示す配置情報を含む制御信号を生成し、当該下りリンク信号及び制御信号を第１端末２Ａに送信する。このようにすることで、第１端末２Ａは、第１端末参照情報及び第２端末参照情報に基づいて、第２端末宛信号に割り当てられた電力の絶対値を推定し、第２端末宛信号を復調することができる。
【００６５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００６６】
１・・・基地局、１１・・・下りリンク信号生成部、１２・・・制御信号生成部、１３・・・送信部、１４・・・アンテナ、２Ａ・・・第１端末、２０・・・アンテナ、２１・・・受信部、２２・・・第１復調部、２３・・・除去部、２４・・・第２復調部、２５・・・制御部、２Ｂ・・・第２端末、Ｓ・・・無線通信システム
【図１】
2016146554.tif 000003
【図２】
2016146554.tif 000004
【図３】
2016146554.tif 000005
【図４】
2016146554.tif 000006
【図５】
2016146554.tif 000007
【図６】
2016146554.tif 000008
【図７】
2016146554.tif 000009
【図８】
2016146554.tif 000010
【図９】
2016146554.tif 000011